(57)【要約】      （修正有）【課題】医療用ハンドピースに関する構成を改良し、グリップ定着性および取扱いを改善する、単純で経済的に生産可能な立体的形状のハンドピースを提供すること。【解決手段】基部と、少なくとも部分的にこの基部を取り囲むグリップ要素１２とを有する細長い医療用ハンドピース３に関する。当該ハンドピースの構成を改善するために、グリップ要素１２は、少なくとも２つのグリップ部材１３、１４であって、一方が解放可能に他方および基部のうちの少なくとも１つに連結され、グリップ部材１３、１４は係る構成により、ぴったり合うように、互いに向き合うように位置するようになる。【選択図】図１
2006167460.tif 000002
【特許請求の範囲】
【請求項１】
基部と、少なくとも部分的にこの基部を取り囲むグリップ要素とを有する細長い医療用ハンドピースであって、
前記グリップ要素は、一方が解放可能に他方および前記基部のうちの少なくとも１つに連結される少なくも２つのグリップ部材からなり、
前記グリップ部材は、そのように構成され、形状が適合するように互いに位置する、
ことを特徴とするハンドピース。
【請求項２】
前記グリップ部材は、分離ジョイントにおけるそれらの相互に対向する接合面で、ある領域にわたって互いにもたれ合う、
ことを特徴とする請求項１に記載のハンドピース。
【請求項３】
前記分離ジョイントは、少なくとも１の分離ジョイント部分において、当該ハンドピースの長手方向に延びる、
ことを特徴とする請求項２に記載のハンドピース。
【請求項４】
前記分離ジョイントは、当該ハンドピースの長手方向を横に延びる分離ジョイント部分を有し、該部分は、好適には、丸みを帯びて、或いは、前方に斜めに延びる、
ことを特徴とする請求項２または３に記載のハンドピース。
【請求項５】
前記横に延びる分離ジョイント部分は、側面まで延びる、
ことを特徴とする請求項４に記載のハンドピース。
【請求項６】
当該ハンドピースの長手方向に延びる前記分離ジョイント部分は、背面まで延びる、
ことを特徴とする先行する請求項３乃至５の何れか一項に記載のハンドピース。
【請求項７】
前記グリップ部材は、横に互いに向き合うように位置する、少なくとも１つの長手部分で並置される、
ことを特徴とする先行する請求項の何れか一項に記載のハンドピース。
【請求項８】
少なくとも前記長手部分は、周方向に閉じたグリップ要素を形成する、
ことを特徴とする請求項７に記載のハンドピース。
【請求項９】
長手方向に延びる前記分離ジョイント部分は、縦断面または中央縦断面に延びる、
ことを特徴とする請求項４乃至８の何れか一項に記載のハンドピース。
【請求項１０】
前記グリップ部材は、特に、前記グリップ部材の間を延びる中央縦断面に関して、例えば、異なるグリップ定着性、または、異なる表面形状といった、異なる表面構成である、
ことを特徴とする先行する請求項の何れか一項に記載のハンドピース。
【請求項１１】
グリップ部材の一方または双方は、何れの場合にも外側に、好適には、凸状に丸まった隆起部を有する、
ことを特徴とする先行する請求項の何れか一項に記載のハンドピース。
【請求項１２】
２つの前記グリップ部材の前記隆起部は、同一の或いは異なる横断寸法を有する、
ことを特徴とする請求項１１に記載のハンドピース。
【請求項１３】
前記隆起部は、前記グリップ部材の、周範囲全体に渡って、或いは、周範囲の一部に渡ってのみ、延びる、
ことを特徴とする請求項１１または１２に記載のハンドピース。
【請求項１４】
前記隆起部は、当該ハンドピースの長さ全体に渡って、或いは、当該ハンドピースの長さの一部に渡ってのみ、延びる、
ことを特徴とする請求項１１乃至１３の何れか一項に記載のハンドピース。
【請求項１５】
前記隆起部は、何れの場合にも、当該ハンドピースの、前方端領域または前半領域に位置付けられる、
ことを特徴とする請求項１１乃至１４の何れか一項に記載のハンドピース。
【請求項１６】
前記隆起部の後ろに延びる、前記グリップ部材の前記長手部分は、貝殻形状に形成される、
ことを特徴とする請求項１１乃至１５の何れか一項に記載のハンドピース。
【請求項１７】
１のグリップ部材であって、特に、解放可能なグリップ部材は、他のグリップ部材を越えて前方に突出し、前記基部をリング形状で取り囲む、
ことを特徴とする請求項４乃至１６の何れか一項に記載のハンドピース。
【請求項１８】
前記他のグリップ部材は、解放不可能に前記基部に結合される、
ことを特徴とする先行する請求項の何れか一項に記載のハンドピース。
【請求項１９】
前記基部は、好適には中空の円筒状チューブにより形成される、
ことを特徴とする先行する請求項の何れか一項に記載のハンドピース。
【請求項２０】
異なる表面構成であり、特に、異なる隆起部を有する、２以上の解放可能なグリップ部材が備えられる、
ことを特徴とする先行する請求項の何れか一項に記載のハンドピース。
【請求項２１】
前記隆起部の少なくとも１つは、後方に向かって、段付の表面を有する、
ことを特徴とする先行する請求項１１乃至２０の何れか一項に記載のハンドピース。
【請求項２２】
基部と、少なくとも部分的にはこの基部を取り囲むグリップ要素であって、前記基部に解放可能に取り付けられるグリップ要素と、を有する細長い医療用ハンドピースであって、
表面構成が異なる少なくとも２つのグリップ要素が備えられ、該グリップ部材の一方または他方は、選択的に前記基部に取り付けられる、
ことを特徴とするハンドピース。
【請求項２３】
取り付け手段であって、グリップ要素のそれぞれの取り付けのため、１または２以上の第１取り付け要素を前記基部に有し、前記第１取り付け要素または要素群と協働する１または２以上の第２取り付け要素を前記グリップ要素に有する取り付け手段、
を特徴とする請求項２２に記載のハンドピース。
【請求項２４】
前記基部は、後方ハンドピース部分から突出する差込みピンにより形成され、前記グリップ要素は、何れの場合にも差込み凹部を伴ってスリーブ状に形成され、差込みピンにしっかりと差し込まれ、かつ、回転または戻り動作に対し固定され得る、
ことを特徴とする請求項２３に記載のハンドピース。
【請求項２５】
前記差込みピンおよび関連する前記グリップ要素の間に、何れの場合にも、一方の部材に回転止めピンを有し、他方の部材に回転止め凹部を有する回転止めと、前記差込みピンおよび前記グリップ要素の間で有効な戻り動作止めとが備えられ、好適には、前記回転止めピンは、前記差込みピンから突出し、前記回転止め凹部は、関連の前記グリップ要素に配置される、
ことを特徴とする請求項２４に記載のハンドピース。
【請求項２６】
戻り動作止めは、好適には、前記差込みピンの前方端と協働するネジ部材により形成される、
ことを特徴とする請求項２４または２５に記載のハンドピース。
【請求項２７】
グリップ要素の一方または双方は、その周辺に、何れの場合にも、好適には凸状に丸まった、１または２以上の隆起部を有する、
ことを特徴とする先行する請求項２２乃至２６の何れか一項に記載のハンドピース。
【請求項２８】
少なくとも１つの前記隆起部は、前記グリップ要素の長さ全体に渡って、若しくは、長さの一部に渡ってのみ延び、または、少なくとも１つの前記隆起部は、何れの場合にも、前記グリップ要素の、前方端領域若しくは前半の領域に延びる、
ことを特徴とする請求項２７に記載のハンドピース。
【請求項２９】
１の前記グリップ要素の前記隆起部は、他の前記グリップ要素の前記隆起部より高く、或いは、他の前記グリップ要素は、隆起部なしで形成され、好適には、中空の円筒状に形成される、
ことを特徴とする請求項２７または２８に記載のハンドピース。
【請求項３０】
グリップ要素の一方または双方は、周囲に分散して配置され、前記グリップ要素の隣接する表面より大きい面摩擦を持つ、１または２以上の外面領域を有する、
ことを特徴とする先行する請求項２２乃至２９に記載のハンドピース。
【請求項３１】
少なくとも１つの前記外面領域は、凹部に据え付けられ、かつ、解放可能または解放不可能に取り付けられる材料ストリップであって、そのストリップは、好適には、隣接する表面領域にあるグリップ要素の材料より軟らかい材料である材料ストリップにより形成される、
ことを特徴とする請求項３０に記載のハンドピース。
【請求項３２】
前記外面領域または領域群は、隆起部に関し円周方向にオフセットされ、好適には、前記隆起部の両側に配置される、
ことを特徴とする請求項３１に記載のハンドピース。
【請求項３３】
前記材料ストリップは、例えば接着剤により、解放不可能に取り付けられ、或いは、好適にはクランプ方式の効果による差込みピン連結により、解放可能に取り付けられる、
ことを特徴とする請求項３１または３２に記載のハンドピース。
【発明の詳細な説明】
【技術分野】
【０００１】
本発明は、請求項１または２２の前段にいう細長い医療用ハンドピースに関する。
【背景技術】
【０００２】
係る医療用ハンドピースは、人体または動物体の治療現場での作業目的に適している。本発明の範囲内には、例えば、義歯等の人口補助物やモデルといった人工的部品が包含されてもよい。この種のハンドピースは、それらの構成や特定の医療目的におけるそれらの用途において異なる。歯科医療用ハンドピースは、好適には、患者の口の中における歯の治療に適している。医療技術用または歯科技術用ハンドピースは、対照的に、医療または歯科研究室における、例えば、入れ歯、義歯またはモデルでの作業といった人工的な部品における作業で使用される。対照的に、歯科医療用ハンドピースは、また、一般医療での使用にも適している。口内での狭い空間における使用ばかりでなく、体の他の部位での使用にも適しているからである。
【０００３】
序文で示された種類のハンドピースは、細長い棒状の形態であり、前方領域、中央領域および後方領域のうちのいずれか１つ、または、ハンドピースの長さ領域全体を形成するグリップ要素を有する。
【０００４】
序文で示された種類の係るハンドピースは、例えば、米国特許出願公開第２００３／００１４８４２号明細書において説明される。この公知のハンドピースは、金属チューブ状の形をした基部を有し、その上にグリップスリーブが位置し、その断面形状はその前方および後方領域でくびれている。これらくびれは非常に大きく、治療を行う者の操作する手の指とそのくびれとが、係合できるようにする。グリップ部材の後ろにある基部の後方領域には、選択的に閉じたり開いたりできるバルブが配置される。基部の後方端のところで、ハンドピースは、吸い込み管に連結できる。このようにして、このハンドピースは、吸い込みハンドピースとなる。
【０００５】
独国特許発明第７１４２７５号明細書は、歯科用器具のためのハンドグリップを説明し、特に、掘削および研削用のハンドピースを説明する。当該ハンドグリップは、二等辺三角形の断面を有し、前方に徐々に細くなり、その側面は外側に向かってドーム形状であり、両側面の結合端は両端で丸められる。
【０００６】
独国特許出願公開第４１００４５２号明細書は、ピストル形状を有する電動工具、すなわち、実質的にまっすぐに延びる前方工具部と、それに対して直角に延びる後方工具部とから構成され、ユーザの手のためのグリップを形成する電動工具を説明する。
【特許文献１】米国特許出願公開第２００３／００１４８４２号明細書
【特許文献２】独国特許発明第７１４２７５号明細書
【特許文献３】独国特許出願公開第４１００４５２号明細書
【発明の開示】
【発明が解決しようとする課題】
【０００７】
現存する種類のハンドピースにより行われる作業または治療のタイプは、特に、例えば、医療技術または歯科技術の研究室におけるボーリングまたはフライス加工といった材料除去作業の場合は、力の利用に頼る場合があり、或いは、特に、医療または歯科医療での治療の場合と同様に、研磨若しくは洗浄、リンス若しくは精査の場合には、細かいモータ制御を必要とする場合がある。すなわち、できるだけ小さな配慮度合いで、小さくまたはより多く力を活用し、ハンドピースを握り、動かし、かつ、ガイドできるようにするために、ユーザの手によるハンドピースの安定した、および、それによる素早い握りが必要とされる。
【０００８】
本発明は、請求項１の序文に示される種類の医療用ハンドピースに関する構成を改良するという目的に基づく。従って、単純で経済的に生産可能な立体的形状のハンドピースが追求される。
【課題を解決するための手段】
【０００９】
この目的は、請求項１の特徴により達成される。本発明の更なる有利な成果は、従属項に示される。
【００１０】
さらに、請求項２２の序文に従ったハンドピースは、異なる使用や異なる治療や異なる種類の作業に適応できる。
【００１１】
双方の場合において、人間工学的に、個人的に適応でき、同時に、単純で、かつ、経済的に生産できるハンドピースが提供される。
【００１２】
本発明は、ハンドピースによる異なる種類の作業のためには、異なるグリップ要件が生ずるという洞察に基づく。例えば、材料除去作業、特に、掘削および研削といった、治療現場でハンドピースによりトルクが利用される、このような種類の作業のためには、トルクに対してハンドピースを位置付け、かつ、取扱うための特別なグリップ定着性が要求される。その一方、他の細かな種類の作業のためには、細心の注意を払うべき作業に有利なハンドピースの表面構成が必要とされる。
【００１３】
このように、本発明は、さらに、異なる利用法、異なる治療または異なる種類の作業への適応を可能とするハンドピースの係る構成は、ハンドピースをより複雑でより高価なものとするという洞察に基づく。
【００１４】
請求項１に一致する本発明に従った構成の場合、少なくとも２つのグリップ部材であり、１のグリップ部材が解放可能に他のグリップ部材および基部のうちの少なくとも１つに連結される少なくとも２つのグリップ部材が供給され、当該グリップ部材は、形状が適合するように互いに位置する。これにより、ハンドピースは、少なくとも２つのグリップ部材であり、それらの分離ジョイントで互いに向き合い、従って、グリップ部材の間に隙間ができるのを避ける、少なくとも２つのグリップ部材を有する構造形状を確保し、ハンドピースを手で握ることに影響を与えないようにし、かつ、分離ジョイントにほこりが集まらないようにする。
【００１５】
グリップ部材は、何れの場合にも、互いに横方向に向き合って、少なくとも１の長手部分に沿って配置される。好適には、２つのグリップ部材のみが提供される。しかし、また、より多くの、例えば、３つのグリップ部材が提供されてもよく、少なくとも１の長手部分で、円周方向に互いに隣り合うように位置し、閉じたグリップ要素を形成する。従って、グリップ部材は、少なくとも、それらの間に延びる分離ジョイントの外縁の領域において互いに向き合うように位置する。しかし、グリップ部材は、また、相対する分離ジョイント表面の面積にわたって、互いに向き合うように位置してもよく、それを介して、安定性が増し、分離ジョイントの密封性が向上する。分離ジョイントは、少なくともその長さの一部において、ハンドピースの長手方向に延在し、それにより、好適には、長手方向に続く分離ジョイントとして後方に延びる。従って、分離ジョイントは、ハンドピースの縦の平面または縦の中央面におけるその長手部分の領域に延在する場合がある。しかし、分離ジョイントの断面は、また、ハンドピースの長手方向を横切って延在する場合もあり、例えば、横に続く断面はその側部まで延びるようにする。この側部に延びる領域において、１のグリップ部材が、他のグリップ部材を超えて長手方向に、好適には、前方に突出する。１のグリップ部材のこの突出する長手部分は、好適にはリング形状を形成する。
【００１６】
少なくとも１のグリップ部材であってその外側に隆起部を持つグリップ部材を形成することが有利であり、隆起部は、好適には、丸みを帯び、グリップ部材の周辺範囲全体に渡って、または、この周辺範囲の一部に渡ってのみ円周方向に延び、円周方向に隣接する外面部分に関しそれが隆起するようにする。同様に、隆起部は、また、グリップ部材の長手方向にも、その長さ全体に渡って、または、その長さの一部に渡ってのみ延び、隆起部が、長手方向に隣接する外面部分の上に隆起するようにする。本発明の範囲内で、隆起部は一方のグリップ部材上にのみ配置されてもよく、双方のグリップ部材上に配置されてもよい。隆起部のうちの少なくとも１つは、隆起部の傾斜した側面が操作する手のための支持面を提供するので、グリップ要素またはハンドピースの定着性を改善し、操作する手が、より大きな運動モーメントでハンドピースをガイドできるようにし、或いは、ハンドピースの使用に際し、より大きな運動力に対しそれを支持できるようにする。
【００１７】
両グリップ部材がそれぞれ隆起部を有する場合、これらの隆起部の高さは、同じであってもよく、異なってもよい。少なくとも１つの隆起部は、好適には、前方端領域またはハンドピースの前半分に配置される。
【００１８】
本発明の範囲内において、本発明に従ったハンドピースであり、交換を対象としたものではなくハンドピース上に留まる１の解放可能なグリップ部材のみを有するハンドピースを製造することが可能である。すなわち、本発明に従った構成は、基本構成として解放不可能なグリップ部材を有するハンドピースを製造し、かつ、市場に出すことを可能とし、該基本構成は、選択的に、１のみの解放可能なグリップ部材を有するハンドピースを完成させ、或いは、少なくとも２つの異なるグリップ部材を持つハンドピースを完成させ、ハンドピースを異なる種類の作業に適応可能にする。
【００１９】
本発明に従い、実質的に１のハウジング部材（基部）を不変としながら、他のハウジング部材（グリップ部材）を変更可能に構成する原理に基づいたハンドピース、すなわち、グリップ部材が基本体にある切欠に取り付けられる形のハンドピースが利用できるようになる。このようにして、モジュール式のハウジング構造が提供される。
【００２０】
本発明に従った構成の重要な特徴は、また、異なる種類の作業に適した異なる表面構成を有する少なくとも２つの解放可能なグリップ部材のうちの１つを取り付けたり交換したりすることにより、ハンドピースを異なる種類の作業に適応させる可能性を提供する点にも存在する。
【００２１】
請求項２２に一致する本発明に従ったハンドピースの場合、異なる表面構成を持つ少なくとも２つのグリップ要素が提供され、一方のグリップ要素または他方のグリップ要素が選択的に基部に取り付けられる。これにより、ハンドピースは、一方または他方のグリップ要素を選択的に取り付けることにより、異なる治療または異なる種類の作業に適応できる。
【発明の効果】
【００２２】
異なる表面構成を持つ２つのグリップ部材の場合のように、異なる表面構成のグリップ要素も同様に形成され、操作する手に合わせて、それに形状を適合させることにより、或いは、それによる摩擦力に基づく力を適用させることにより、特定のトルクにおいて、力の支持モーメントをハンドピースと共に働かせることができ、或いは、特定のトルクにおいて、異なる大きさの力の支持モーメントに対し、ハンドピースを手で握り、または、支持することができるようにする。
【００２３】
従って、本発明に従った構成群は、異なるグリップ部材の場合と、また、異なるグリップ要素の場合との双方の場合において、単純な方法でハンドピースの選択的な適応を可能にする単純でかつ経済的に生産可能な構成により自身を特徴づける。
【００２４】
また、グリップ要素の異なる表面構成は、手で握ることができ異なる面摩擦を有する表面領域を介した摩擦に基づく力の適用の観点、および、グリップ要素上に形状を適合させながら異なるように形成された隆起部を介した形状適合の観点のうちの少なくとも１つの点から見て実現され得る。
【発明を実施するための最良の形態】
【００２５】
以下、本発明の有利な構成を好適な実施形態を参照してより詳細に説明する。
【実施例】
【００２６】
ハンドピースであって、その全体を図１の番号１で指定されたハンドピースは、１要素または２要素で形成され、後方ハンドピース部、すなわち、いわゆる接続部２と、前方ハンドピース部３とで形成される。２要素からなる形態の場合、例えば、歯科医療ハンドピース１の場合によくあるように、後方ハンドピース部と前方ハンドピース部３とは、連結器４により解放可能に互いに連結され、特に、連結器４は、差込み連結器であり、好適には、図２でのみ破線で示される差込み回転連結器である。
【００２７】
本実施例の場合、前方（図示あり。）に、または、側方（図示せず。）に開いた、ツール６のための挿入開口部５ａを有する支持手段５がハンドピース１の前方端に配置され、それにより、ツール６は側方または前方に突出できる。前方ハンドピース部３は、周知のように、真っ直ぐに延在するようにしてもよく（図示あり。）、また、側部支持手段５から離れるように側方に湾曲するようにしてもよく（図示せず。）、或いは、角度を形成するようにしてもよい（図示せず。）。
【００２８】
差込み回転連結器は、中空の円筒形凹部７と、その中に移動のためのわずかな遊びを持たせて挿入され得る略円筒形の連結用ピン８とにより形成される。本実施例の場合、連結用凹部７は、ハンドピース１の後方端に配置され、略円筒形の連結用ピン８は、接続部２から前方に延びる。連結された状態では、連結用凹部７と連結用ピン８とは、係止手段９により互いに解放可能に係止される。これは、半径方向に移動可能に１の連結用部材に備え付けられ、スプリング力により、分離ジョイントを差し込む係止配置に向けてバイアスが掛けられた係止要素９ａを有し、係止位置では係止要素９ａは、他の連結用部材、特に、連結用ピン８にあるリング溝と係合する。係る係止手段９は、連結の際は自己作動的に係り止めを行い、切り離しの際には、手動による軸方向の牽引力の行使により切り離され、それにより、係止要素９ａは、自己作動的にその解放配置に移動させられる。しっかりと差し込むことにより連結されると、係止要素９ａは、自己作動的に、好適にはリング溝により形成された係止用凹部に係り止めされる。
【００２９】
ハンドピース１または接続部２は、可撓性の供給ライン２ａに接続され、図示しない制御装置に接続される。
【００３０】
ハンドピース３は、好適には、連結用ピン８上に自由に回転できるように取り付けられ、取扱いが改善される。差込み回転連結を介し、治療のため、或いは、例えば、水、圧縮空気若しくは水・空気混合体（噴霧）または光といった駆動媒体のための少なくとも１つの媒体ライン１０が延在する。媒体ライン１０は、放射状の分離ジョイント（図示せず。）を介して軸方向に延在してもよく、連結用凹部７と連結用ピン８との間の中空円筒形分離ジョイントを介してＺ形状をなし、媒体ライン１０が、連結用ピン８または連結用凹部７におけるリング溝の領域の分離ジョイントを通過し、如何なる回転位置にあっても媒体の通路を確保するようにする。通路の両側では、連結用凹部７の壁、または、連結用ピン８の外部表面にあるリング溝に配置され得るシールリング８ａにより分離ジョイントが密封される。これを介して、３６０°およびそれ以上の自由回転性能が保証される。媒体ライン１０は、ハンドピース１の後方端からその前方端領域へ延び、部分的に器具本体にあるチャネルとして通ってもよく、或いは、ホースまたはパイプラインを有する。媒体ライン１０は、ハンドピース１の前方端領域でハンドピースの外に開口し、それにより、この開口部１０ａは、治療位置またはツール６の先端の方向に向けられる。
【００３１】
ハンドピース１の主要部分は、基部１１、および、少なくとも部分的に、好適にはリング状またはスリーブ状でその基部を取り囲むグリップ要素１２であり、そのために、グリップ要素１２は少なくとも２つのグリップ要素部材１３、１４であり、例えばグリップ部材１４である一方のグリップ部材は、ここではグリップ部材１３および基部１１のうちの少なくとも１つである他方のグリップ部材に解放可能に接続される。本実施例の場合、第１に述べたグリップ部材１３は、解放不可能に基部１１に連結され、例えば、それと一体で形成されたり、それに接着剤で接着されたりする。第２の解放可能なグリップ部材１４の締め付けのためには、好適には、例えば係止手段のような速結用接続部により形成され、或いは、本実施例の場合グリップ部材１３と協働する、締結手段１５が供給される。
【００３２】
基部１１は、リング状またはスリーブ状のグリップ要素１２またはグリップ部材１３、１４に取り囲まれ、この取り囲みは、基部１１の長さ全体に渡って、または、長さの一部に渡って、長手方向に延在してもよい。当該取り囲みは、好適には、基部１１の後方端の所まで延在する。基部１１の前方端領域は、グリップ要素１２の取り囲みを出て突出してもよく、或いは、同様にそれに取り囲まれてもよい。本実施例の場合、基部１１は、前方端領域で先細になり得る中空円筒型の基材により形成され、詳細は示されていないが、前方端領域の窪んだ場所に支持手段５が配置されてもよい。
【００３３】
グリップ部材１３、１４は、例えば、円弧のような部分環状若しくは半環状、または、貝殻状若しくは半殻状の外側部であってもよく、基部１１またはハンドピース３の長手方向に実質的に延びる分離ジョイント１６で、互いに向き合うように位置し、分離ジョイント１６が外側に対して閉ざされるようにする。従って、両部材は、分離ジョイント１６を閉ざすために、分離ジョイント１６の外縁領域１６ａで互いに向き合いさえすればよい。好適には、グリップ部材１３、１４は、分離ジョイント１６の全領域に渡って延びる支持面１３ａ、１４ａにより、互いに向き合うように位置する。
【００３４】
半殻状のグリップ部材１３、１４の場合、分離ジョイント１６は、基部１１の中間領域に延び、それにより、分離ジョイント１６は、図３に示すように、ハンドピース３の縦軸１ａまたはそれにわずかに平行な軸を縦方向に交差する縦断面１７を通ってもよい。縦断面１７は、実質的にグリップ部材１３と１４との間に位置する（図３参照。）。
【００３５】
分離ジョイント１６は、基部１１またはハンドピース２の長手方向に後方に延びると有利である。しかし、分離ジョイント１６は、また、長手方向に対し横に延びる分離ジョイント部分１６ｂを有し、１のグリップ部材１４が他のグリップ部材１３を押し切って軸方向に突出する結果となる。横に延びる分離ジョイント部分１６ｂは、図３、５および６に示すように、まっすぐに、または、前方に、或いは、円弧状に外側に湾曲して延びてもよく、それにより、分離ジョイント部分１６ｂは、長いほうのグリップ部材１４の前方端から間隔ａにある外面に現れる。グリップ部材１３、１４の外面１８ａ、１８ｂは、分離ジョイント外縁１６ａの外面の端で相互に段差無く推移する。従って、相互に推移する表面領域のそれぞれは、縦の中央軸１ａに関して、選択的に、傾斜配置を有する場合がある。
【００３６】
本発明の範囲内で、グリップ部材１３、１４は、ハンドピース１または基部１１の縦の中央軸１１ａに関して対称的な形の外面を有するグリップ要素を形成してもよい。係るハンドピース１は、その形状に関する限り、如何なる回転配置においても同じ表面構成またはグリップ条件を有する。
【００３７】
異なる種類の作業や異なる性質の作業の実施のために、ハンドピース１のグリップ定着性および取扱いを改善する、異なる表面構成をグリップ部材１３、１４に持たせるのが有利である。グリップ部材１３、１４の一方または双方は、円形、または、円筒形の断面形状から逸脱する外面形状を有してもよく、特に、円周範囲Ｕ１、Ｕ２の全体に渡って、または、円周範囲Ｕ１、Ｕ２の一部分のみに渡って、何れの場合にも円周方向に延びる隆起部１８ａ、１８ｂを有してもよく、隆起部１８ａの片側または両側には、隆起部１８ａに対し低くなった関連する円周面部分が存在するようにする。ハンドピース１の長手方向を横断して示すように、隆起部または隆起部群１８ａ、１８ｂは、グリップ要素１２またはハンドピース３の長さＬ全体に渡って延在し、或いは、その長さＬの一部分に渡ってのみ延在して、隆起部１８ａ、１８ｂの前後少なくとも一方にグリップ要素１２の低くなった周辺面部分が存在するようにする。
【００３８】
図１乃至４に従った本実施例の場合、少なくともグリップ部材１３、１４の後方の長手部分が相対するように配置され、基部１１に解放不可能に連結されるグリップ部材１３は、円周領域Ｕ１の一部分に渡ってのみ延びる隆起部１８ａを有し、図４に最もよく示されるように、隆起部１８ａの両側に、実質的に放射状の断面寸法ｒａを有する、低くなった円周面部分が存在するようにする。中央軸１１ａに関して大きいほうの断面寸法は、ｒａ１で示される。
【００３９】
一方、解放可能なグリップ部材１４は、実質的に一様な断面寸法ｒｂを有する円周領域Ｕ２全体に渡って延びる隆起部１８ｂを有する。そのため、隆起部１８ｂは、円周方向に延びる膨らみやビーズとして示され得る。図３および図８に示すように、隆起部１８ａ、１８ｂの隆線は、グリップ要素１２またはハンドピース１の後方端から異なる間隔ｃ１、ｃ２を有してもよく、或いは、同じ間隔ｃ１、ｃ２を有してもよく、それにより、解放可能なグリップ部材１４の隆起部１８ｂを前方にオフセットするようにする。
【００４０】
隆起部１８ａ、１８ｂは、ハンドピース１またはグリップ要素１２の後方端から間隔ｂ１、ｂ２を有し、それら間隔は、同じであってもよく、異なるものであってもよい。この間隔の領域において、グリップ要素の断面形状は、円筒形であってもよく、或いは、グリップ部材１３、１４の断面形状が、実質的に半殻状に形成されてもよい。隆起部１８ａ、１８ｂのうちの少なくとも１つは、図５に示すように、グリップ要素１２の前方端まで延在できる。
【００４１】
図８および９に従った実施例は、解放可能なグリップ部材１４に配置される隆起部１８ｂが両側に低くなった周辺面部分を有する点においても上記の実施例と異なる。これら隆起部１８ａ、１８ｂの横断寸法ｒａ１、ｒｂ１は、楕円形状の断面計算を通じて、同じであってもよく、異なっていてもよい。
【００４２】
図１０および１１に従った実施例は、例えば、解放可能なグリップ部材１４が、その後方側に段差のある表面１８ｃを持つ隆起部１８ｂを有し、操作する手の指（例えば中指）で後方を支持するのに役立ち得る。この隆起部１８ｂは、例えば、グリップ要素１２の後方端領域の所まで延在してもよい。段差のある表面１８ｃは、隆起部１８ｂの後方側領域の所まで、丸まって、延在する。
【００４３】
上記の実施例の場合、基部１１は、例えば、中空の円筒形状のチューブにより形成され、前方端領域で次第に細くなるようにしてもよい。従って、グリップ部材１３、１４は、中空の円筒形状の基部１１の外面に配置され支持される。チューブ形状の基部１１の接続されていない断面は、連結用の凹部７を形成してもよい。媒体ライン１０は、チューブ状の基部１１内または好適には解放不可能なグリップ部材１３内を延び、前方に開口するようにする。
【００４４】
締結手段１５は、好適には、係止手段として形成され、２つの係止用の突出部１５ａを有し、１５ａは、相互に横方向に相対するよう配置され、何れの場合にも、グリップ部材１３にある係止用縁部１５ｂの裏側で係合する。係止用縁部１５ｂは、何れの場合も、グリップ部材１３の内面に位置し、例えば、グリップ部材１３の後方端の所まで延在する溝１３ｂにより形成されてもよい。係止用突出部１５ａは、円弧断面状（例えば、半円状）の帯状円弧１８ｄの端部に配置され、そして、例えば、外側に曲げられ、帯状円弧は、グリップ部材１４の円弧状凹部１３ｂ内に位置付けられ、例えば、頂点領域１９で、例えば、接着剤によりグリップ部材１４に結合される。帯状円弧１８ｄは、例えば、バネ鋼等のバネ状の弾性材料であってもよく、係止用突出部１５ａが弾力的に曲がり、スプリング力により係止用縁部１５ｂの裏側に入り込み係合させることができる。溝１３ｂが、グリップ部材１３の前方端の所まで延在する場合には、前方から後方に基部１１上に押し込まれるグリップ部材１４をも接続することが可能であり、それにより、係止用突出部１５ａは、係止用縁部１５ｂの裏側に係合する。
【００４５】
ハンドピース１の部材は、特に、基部１１およびグリップ部材１３、１４は、例えば、合金鋼やプラスチックといった耐食材料である。
【００４６】
図１２乃至１５に従った実施例の場合、同一または類似の部材は同一の引用符号が付され、この実施例は、２つのグリップ部材１３、１４ではなく、１のグリップ要素１２ａまたは他のグリップ要素１２ｂが選択的に基部１１に取り付けられる、２つのグリップ要素１２ａ、１２ｂが備えられる点で上記の実施例とは異なる。基部１１は、同様に、スリーブ状の、好適には中空の円筒状断面により形成され、後方のハンドピース部１ｂから前方に突出し、前方端領域に、順番に配置され段階的に細くなる１または２の縦材部１１ｂ、１１ｃを有してもよい。ここではまた、基部１１は、グリップ要素１２ａ、１２ｂが差し込まれ、或いは、差込み接続部材がしっかりと差し込まれるように、差込みピン２１ａを表面に形成する。この目的のため、スリーブ状のグリップ要素１２ａ、１２ｂは、何れの場合にも、差込み用凹部２１ｂを有し、差込み用凹部２１ｂは、グリップ要素１２ａ、１２ｂの前方端領域で、より小さい差込用凹部１２ｃにまで細くなり、内部肩面１１ｄがその間に形成され、内部肩面１１ｄは、グリップ要素１２ａ、１２ｂとの関係では、基部１１に押し込まれ、基部１１の階段面１１ｅに軸方向に向き合うように位置する。グリップ要素１２ａ、１２ｂの戻り動作を防止するために、本実施例の場合にはネジ要素により形成される、戻り動作止め２２が備えられ、グリップ要素１２ａ、１２ｂは、解放可能にしっかりと基部１１に取り付けられる。この目的のため、前方縦材部１１ｃに取り付けられる前部スリーブ２３が用意され、好適には、雄ネジを有する縦材部１１ｃにネジ留めにより取り付けられる。
【００４７】
グリップ部材１２ａ、１２ｂの回転を防止するため、回転止め２０が基部１１とそれぞれのグリップ要素１２ａ、１２ｂとの間に有効に配置され、回転止め２０は、一方の接続部材上にある固定用ピン２０ａと、他方の接続部材上にあるピン２０ａを受け入れる固定用凹部２０ｂとにより形成される。本実施例の場合、固定用ピン２０ａは、差込みピン２１ａ上に配置され、固定用凹部２０ｂは、グリップ要素１２ａ、１２ｂ上に配置される。差込みピンの脚から前方に向けられたある間隔で回転止め２０が配置される場合であり、例えば、その前方領域に配置される場合、固定用凹部２０ｂは、グリップ要素１２ａ、１２ｂの円周方向壁内にある縦溝により形成される。
【００４８】
グリップ要素１２ａ、１２ｂは、それらの表面または外面構造により、互いに異なる。これを通じて、グリップ要素１２ａ、１２ｂのグリップ定着性や、それらを介したハンドピース１の取扱いが、手にぴったり合う形状や摩擦力により改善される。さらに、ハンドピース１は、少なくとも２つのグリップ要素１２ａ、１２ｂの選択や交換を通じて、異なる種類の作業または治療に適応でき、例えば、より大きい係合力のモーメントを有するグリップ要素１２ａを取り付けて、治療を行う者が、グリップ要素１２ａで、他のグリップ部材１２ｂの場合より大きなトルクや、押したり引いたりするモーメントを働かせることができる。
【００４９】
これは、例えば、２つのグリップ要素１２ａ、１２ｂの１つが非円形断面形状を有し、他のグリップ要素１２ｂが円形の、例えば、円筒形断面形状を有することにより実現され得る。
【００５０】
しかし、グリップ要素１２ａ、１２ｂの一方または双方は、また、１つの隆起部または外周に分散して配置される複数の隆起部群を有し、例えば、２つの隆起部１８ａ、１８ｂは、周方向にオフセットされ、例えば、図１５に示すように、互いに向き合うように配置される。
【００５１】
隆起部１８ａ、１８ｂは、関係するグリップ要素の、円周全体に渡って延びてもよく、円周の一部に渡ってのみ延びてもよく、或いは、関係するグリップ要素の、長さＬの全体に渡って延びてもよく、長さＬの一部に渡ってのみ延びてもよい。１２ａで指定されるグリップ要素は、互いに反対に位置する２つの隆起部１８ａ、１８ｂを有し、それらは、円周範囲Ｕ３の一部に渡ってのみ延び、図１５で最もよく示されるように、隆起部１８ａ、１８ｂの両側に低くなった円周面部分であって、実質的に放射状の断面寸法ｒａを有する円周面部分が存在する。好適には、異なる高さの隆起部１８ａ、１８ｂであり、中央軸１１ａに関しより大きい断面寸法は、ｒａ１、ｒａ２で指定される。
【００５２】
図１３が示すように、隆起部１８ａ、１８ｂの隆線は、非同一であってもよく、或いは、同一であってもよい、グリップ要素１２の後方端からの間隔ｃを有する。当該間隔の領域では、グリップ要素の断面形状は、円筒形であってもよい。隆起部１８ａ、１８ｂのうちの少なくとも１つは、図１３に示すように、高さを減少させながら、グリップ要素１２の前方端の所まで延びる。
【００５３】
また、本実施例の場合、実行すべき、異なる種類の作業、または、異なる性質の作業若しくは治療のために、表面構成が異なるグリップ要素１２ａ、１２ｂを有することが有利であり、そのことが、ハンドピース１の、グリップ定着性および取扱いを改善する。グリップ要素１２ａ、１２ｂの一方または双方は、円形または円筒形断面形状から逸脱する外面形状を有し、特に、隆起部１８ａ、１８ｂを有する場合があり、隆起部１８ａ、１８ｂは、何れの場合も、円周範囲全体に渡って、或いは、円周範囲の一部に渡ってのみ、周方向に延び、関係する隆起部１８ａの一方または双方の側に、隆起部１８ａに関して低くなった、円周面部分Ｕ４が存在するようにする。ハンドピース１の長手方向に横断的に示されるように、隆起部または隆起部群１８ａ、１８ｂは、グリップ要素１２ａ若しくは１２ｂの長さＬ全体に渡って延在してもよく、或いは、長さＬの一部に渡ってのみ延在してもよく、隆起部１８ａ、１８ｂの前後のうちの少なくとも一方に、グリップ要素１２ａ、１２ｂの低くなった周辺面部分Ｕ５が存在するようにする。
【００５４】
ハンドピース１の部材は、特に、基部１１およびグリップ要素１２ａ、１２ｂは、例えば、合金鋼やプラスチックといった耐食材料である。
【００５５】
取扱いおよびグリップ定着性を改善するために、操作する手で握る際に、異なる面摩擦を与える材料または材料構成を有する、少なくとも１つのグリップ要素１２ａ、１２ｂの、少なくとも１つの円周部分Ｕ６を形成することが更に有利である。図１３および１５に従った実施例の場合、異なるグリップ摩擦を持つ、そのような２つの円周部分Ｕ６が存在し、好適には、相互に向かい合って配置され、特に、隆起部１８ａ、１８ｂの片方または双方の両側に配置され、略４５°から９０°迄、または、１２０°以上迄の円周角度Ｗをおおよそ含むようにしてもよい。異なる摩擦を有する領域Ｕ６のそれぞれは、関係するグリップ要素１２ａまたは１２ｂが、この領域において、操作する手で握られる際に、グリップ要素１２ａの残りの円周領域より大きい摩擦を発生させる材料を有するように形成され得る。係る領域は、好適には、係る外面摩擦を有する平坦材料ストリップ２４が、グリップ要素１２ａ、１２ｂの円周面内の適合する差込み凹部２５に据え付けられ、かつ、固定されるように形成される。材料ストリップ２４の表面およびグリップ要素１２ａ、１２ｂの隣接する円周面部分の表面は、互いに同一平面上で段差無く接し、隆起部１２ａ、１２ｂの傾斜領域では、互いに境界を接する円周面部分が、円周方向または長手方向に応じて、上方または下方に傾斜して続く。
【００５６】
凹部２５および材料ストリップ２４は、好適には、隆起部１８ａ、１８ｂのうちの少なくとも１つの長手領域に延在する。
【００５７】
凹部は、また、長さＬに渡って略延在し、その幅ｄは、隆起部１８ａ、１８ｂの断面の拡大および縮小に略追随してもよい。
【００５８】
少なくとも１つの材料ストリップ２４は、何れの場合にも、解放不可能に差込み凹部２５に取り付けられてもよく、解放可能に差込み凹部２５に取り付けられてもよい。解放不可能に結合する場合には、材料ストリップ２４は、例えば、接着剤により固定される。解放可能に接続する場合には、適当な、例えば、クランプ効果による差込み接続がある。
【００５９】
図１２および１５で概略を図示され、２６で指定される、係る差込み接続部は、何れの場合にも、１の接続部材にある少なくとも１つの差込用ピン２６ａと、好適には差込用ピン２６ａを受け入れる、他の接続部材に配置される挿入穴２６ｂとにより形成される。材料ストリップ２４は、その内側に分散して配置される１または２以上の係る差込み接続部２６により、クランプによる態様で固定され、それ故に、簡単に取り付け若しくは取り外し可能であり、または、交換可能である。図１５に従った実施例の場合、差込み用ピン２６ａは、何れの場合にも、グリップ要素１２ａの円周壁に、好適には、一部材で形成され、それによって、挿入穴２６ｂは材料ストリップ２４に設置される。従って、挿入穴２６ｂは、止まり穴であってもよく、または、通り穴であってもよく、後者の場合には、差込み用ピン２６ａは視認可能となる。
【００６０】
本実施例の場合、材料ストリップ２４は、何れの場合にも、軟らかい構成要素という意味においては、グリップ要素１２ａの円周壁の材料よりも軟らかい材料である。円周壁および材料ストリップ２４は、好適にはプラスチックである。
【図面の簡単な説明】
【００６１】
【図１】本発明に従った医療用または医療技術用または歯科技術用ハンドピースの側面斜視図である。
【図２】ハンドピースの側面図である。
【図３】ハンドピースの上面図である。
【図４】図３の矢印ＩＶに則ったハンドピースの背面図である。
【図５】その位置が図３に一致するハンドピースの軸方向縦断面図である。
【図６】ハンドピースのグリップ部材の軸方向縦断面図である。
【図７】図５におけるＶＩＩＩ‐ＶＩＩＩ断面図である。
【図８】本発明に従ったハンドピースの変形形態である。
【図９】図８に従ったハンドピースであって、図８の矢印ＩＸに則った背面図である。
【図１０】本発明に従ったハンドピースの更なる変形形態である。
【図１１】図１０のハンドピースであって、図１０の矢印ＸＩ−ＸＩに則った背面図である。
【図１２】本発明に従ったハンドピースの更なる変形形態の側面図である。
【図１３】図１２のハンドピースの分解状態である。
【図１４】図１３のハンドピース用のグリップ要素の軸方向断面図である。
【図１５】図１２のＸＶ−ＸＶ断面図である。
【符号の説明】
【００６２】
１、３  ハンドピース
２      接続部
２ａ    供給ライン
４      連結器
５      支持手段
５ａ    挿入開口部
６      ツール
７      連結用凹部
８      連結用ピン
９      係止手段
９ａ    係止要素
１０    媒体ライン
１１    基部
１２、１２ａ、１２ｂ、１３、１４  グリップ要素
１５    締結手段
１６    分離ジョイント
１７    縦断面
１８ａ、１８ｂ  隆起部
１９    頂点領域
２０    回転止め
２０ａ  固定用ピン
２０ｂ  固定用凹部
２１ａ  差込用ピン
２１ｂ  差込用凹部
２２    戻り動作止め
２３    スリーブ
２４    材料ストリップ
２５    凹部
２６    差込み接続部
２６ａ  差込用ピン
２６ｂ  挿入穴
【図１】
2006167460.tif 000003
【図２】
2006167460.tif 000004
【図３】
2006167460.tif 000005
【図４】
2006167460.tif 000006
【図５】
2006167460.tif 000007
【図６】
2006167460.tif 000008
【図７】
2006167460.tif 000009
【図８】
2006167460.tif 000010
【図９】
2006167460.tif 000011
【図１０】
2006167460.tif 000012
【図１１】
2006167460.tif 000013
【図１２】
2006167460.tif 000014
【図１３】
2006167460.tif 000015
【図１４】
2006167460.tif 000016
【図１５】
2006167460.tif 000017